(57)【要約】  本発明は、初期生理状態（ＥＰ０）を最終生理状態（ＥＰｆ）に導くための方法および関連する装置に関するものである。個人の生理状態は、個人の１つまたは複数の生理リズムの特徴を表す生理パラメータ（ＲＰ１Ａ、ＲＰ１Ｂ、ＲＰ１Ｃ、ＲＰ１Ｄ、ＲＰ２Ａ、ＲＰ２Ｂ、ＲＰ３Ａ、ＲＰ３Ｂ、ＲＰ３Ｃ、．．．）の集合によって定義される。生理パラメータの集合は、個人の生理リズム（ＲＰ１）の値（ＲＰ１Ａ）、可変性（ＲＰ１Ｂ）、変動の振幅（ＲＰ１Ｃ）、および変動の周期性（ＲＰ１Ｄ）のうちの少なくとも２つの生理パラメータを含んでいる。
2008538187.tif 000002
【特許請求の範囲】
【請求項１】
個人を初期生理状態（ＥＰ０）から最終生理状態（ＥＰｆ）に導くための方法であって、個人の生理状態が、個人の１つまたは複数の生理リズムの特徴を表す生理パラメータの集合（ＲＰ１Ａ、ＲＰ１Ｂ、ＲＰ１Ｃ、ＲＰ１Ｄ、ＲＰ２Ａ、ＲＰ２Ｂ、ＲＰ３Ａ、ＲＰ３Ｂ、ＲＰ３Ｃ、・・・）によって定義され、前記生理パラメータの集合が、個人の生理リズム（ＲＰ１）の値（ＲＰ１Ａ）、可変性（ＲＰ１Ｂ）、変動の振幅（ＲＰ１Ｃ）、および変動の周期性（ＲＰ１Ｄ）のうちの少なくとも２つの生理パラメータを含む方法において、
Ｅ２：個人の初期生理状態（ＥＰ０）を決定するステップと、
Ｅ３：少なくとも１つの刺激（ＳＴ１）を含み、前記刺激が、その値が初期生理状態（ＥＰ０）に応じて異なる少なくとも１つの刺激パラメータ（ＳＴＭ１、ＳＴＮ１またはＳＴＰ１）によって特徴付けられる、刺激の集合（ＳＴ１、ＳＴ２、・・・）に最初の周期Ｔ１中に個人をさらすステップと、
Ｅ４：初期生理状態（ＥＰ０）と最終生理状態（ＥＰｆ）との間の中間生理状態（ＥＰｉ）を決定するステップと、
Ｅ５：中間状態（ＥＰｉ）に応じて刺激の集合（ＳＴ１、ＳＴ２、・・・）のうちの少なくとも１つの刺激（ＳＴ１）の少なくとも１つのパラメータ（ＳＴＭ１）を修正し、個人を刺激の修正された集合（ＳＴ１、ＳＴ２、・・・）にさらすステップと、
Ｑ８：中間生理状態（ＥＰｉ）が、最終生理状態（ＥＰｆ）と異なる場合には、ステップＥ４およびＥ５を繰り返すステップと
を含む方法。
【請求項２】
ステップＥ５とＱ８の間に、さらに
Ｅ６：個人が到達した生理状態（ＥＰｔ＋１）を決定するステップと、
Ｑ７：個人が到達した生理状態（ＥＰｔ＋１）が中間生理状態（ＥＰｉ）と異なる場合には、ステップＥ５およびＥ６を繰り返すステップと
を含む請求項１に記載の方法。
【請求項３】
ステップＥ６とＥ７の間に、さらに
Ｑ９：個人が到達した生理状態（ＥＰｔ＋１）が、ステップＥ２の際に、あるいはすぐ前のステップＥ６の際に決定された、個人がその前に到達した生理状態（ＥＰｔ）よりも中間生理状態から離れている場合には、個人が到達した生理状態（ＥＰｔ＋１）により近い新たな中間生理状態（ＥＰｉ）を選択することによって、ステップＥ３以下を繰り返すステップ
を含む請求項１または２に記載の方法。
【請求項４】
ステップＥ３の前に、さらに
Ｅ１０：個人の初期生理状態（ＥＰ０）および最終生理状態（ＥＰｆ）に応じて、刺激の集合を選択するステップ
を含む請求項１から３のいずれか一項に記載の方法。
【請求項５】
ステップＥ６の後に、さらに
Ｑ１１：刺激の集合が有効でない、またはほとんど有効でない場合には、ステップＥ１０を、次いでステップＥ３以下を実施するステップ
を含む請求項４に記載の方法。
【請求項６】
さらに、初期化ステップを含み、この初期化ステップが、
Ｅ０：生理状態を表中で所望の各心理状態に関連付けるサブステップであって、各生理状態が生理パラメータ（ＲＰ１Ａ、ＲＰ１Ｂ、ＲＰ１Ｃ、ＲＰ１Ｄ、ＲＰ２Ａ、ＲＰ２Ｂ、ＲＰ３Ａ、ＲＰ３Ｂ、ＲＰ３Ｃ、・・・）の集合によって特徴付けられるサブステップと、
Ｅ１：前記表中から、所望の心理状態に応じて最終生理状態（ＥＰｆ）を選択するサブステップ
とを含む請求項１から５のいずれか一項に記載の方法。
【請求項７】
個人を初期生理状態（ＥＰ０）から最終生理状態（ＥＰｆ）に導くための刺激を発生させるための装置であって、
個人の現在の生理状態（ＥＰ０、ＥＰｔ）を測定する手段（１０）と、
測定された生理状態（ＥＰ０、ＥＰｔ）を分析し、中間生理状態（ＥＰｉ）、または到達すべき最終生理状態（ＥＰｆ）である、基準となる生理状態（ＥＰｆ、ＥＰｉ）と比較する手段（３０、４０）と、
個人の決定された現在の生理状態（ＥＰ０、ＥＰｔ）および到達すべき最終生理状態（ＥＰｆ）に応じて、中間生理状態（ＥＰｉ）を決定する手段（５０）と、
その少なくとも１つの刺激パラメータ（Ｍ、Ｎおよび／またはＰ）が、決定された中間状態（ＥＰｉ）に応じて変動可能である、少なくとも１つの刺激を含む刺激の集合を発生させる手段（６０）と、
発生した刺激の集合に個人をさらす手段（７０）
とを備える装置。
【請求項８】
個人の生理状態が、個人の１つまたは複数の生理リズムの特徴を表す生理パラメータ（ＲＰ１Ａ、ＲＰ１Ｂ、ＲＰ１Ｃ、ＲＰ１Ｄ、ＲＰ２Ａ、ＲＰ２Ｂ、ＲＰ３Ａ、ＲＰ３Ｂ、ＲＰ３Ｃ、・・・）の集合によって定義され、生理パラメータの集合が、少なくとも２つの生理パラメータを有し、前記分析および比較手段（３０、４０）が、
生理パラメータを抽出するために、測定された現在の生理状態（ＥＰ０、ＥＰｔ）を分析する手段（３０）と、
抽出された生理パラメータを、基準となる生理状態の対応するパラメータと比較する手段（４０）
とを含む請求項７に記載の装置。
【請求項９】
生理パラメータの集合が、個人の生理リズムの値（Ａ）、可変性（Ｂ）、変動の振幅（Ｃ）、および変動の周期性（Ｄ）のうちの少なくとも２つのパラメータを含む請求項８に記載の装置。
【請求項１０】
測定手段（１０）が、個人の心拍数、呼吸リズムおよび／または脳波の測定センサを含む請求項７から９のいずれか一項に記載の装置。
【請求項１１】
刺激の複数の集合をテストし、個人の生理状態に対するそれら集合の効果に応じて、テストされた刺激の集合を分類するための標準化手段（８０）をさらに備える請求項７から１０のいずれか一項に記載の装置。
【請求項１２】
個人の現在の生理状態（ＥＰｔ）に応じて、有効な刺激の集合を選択する手段（９０）をさらに備える請求項８に記載の装置。
【請求項１３】
学習装置または運転シミュレータを製作するための、請求項１から６のいずれか一項に記載の方法または、請求項７から１２のいずれか一項に記載の装置の使用。
【発明の詳細な説明】
【技術分野】
【０００１】
本発明は、個人の生理状態を、所望の心理状態に関連する所望の生理状態と同期させる方法に関する。
【背景技術】
【０００２】
個人が、その生理状態に応じて外部刺激に対してより敏感になることも、あまり敏感でないこともあることは、よく知られている。たとえば実験により、集中力を欠いている個人は、たとえば討論や研修といった場において第三者の発言をきちんと覚えていないことが分かっている。全く別の状況において、同じ意図で、ストレスを感じている個人は、リラックスしている個人よりも苦痛に耐えられないことも明らかになっている。
【０００３】
個人の心理状態（恐怖、興奮、ストレス、喜び、くつろぎ、集中など）は、ある瞬間に、特にその瞬間の生理状態によって促される。個人の生理状態は、その生理リズム（呼吸リズム、心拍など）と、それらの経時的推移によって定義される。同一の生理状態が、複数の心理状態を促し、特定の生理リズムの変動が、別の心理状態ではなくある心理状態を促すこともある。
【０００４】
したがって、同一の生理状態に複数の心理状態を関連付けることができる。逆もまた考えられるが、同じ心理状態について、異なる人物の生理的特徴、または同じ人物であっても異なる状況ではあるが、同じ心理状態を生じる状況にある場合の生理的特徴は、類似の特徴を有する。
【０００５】
文献ＷＯ００５１６７７に記載された方法は、個人の心拍数の変動および可変性（すなわち、変動の振幅の規則性）、ならびにそのリラクゼーション状態を検出し、評価し、表示する。したがって、個人は、そのリラクゼーション状態を変化させるように行動することができる。この方法は、その個人が提供された情報を活用するという条件においての生理リズムの検出および解釈に限定される。
【０００６】
さらに、ホイヘンスは、互いに近傍に置かれた、わずかに異なる振動数をもつ２つの機械式振子が、互いに同期することを明らかにした。逆に、それらの振子の振動数が互いにあまりに異なっている場合には、振子は互いに同期しない。ホイヘンスのこの考え方は、所望の目標となる心理状態（くつろぎ、リラクゼーションなど）に関連する生理状態に向かって個人を導くためにすでに適用されている。そのためには、個人の生理リズムを目標となる生理リズムに向かって変化させるために、個人を適切な振動数の刺激の放出にさらす。このような方法は特に、文献ＵＳ５２６７９４２に記載されている。この文献に記載されている方法は、当該の生理リズムの振動数を変化させることに限定されており、個人を所望の心理状態に導くにはそれだけでは不十分である。
【特許文献１】ＷＯ００５１６７７
【特許文献２】ＵＳ５２６７９４２
【発明の開示】
【発明が解決しようとする課題】
【０００７】
本発明の主な目的は、個人の生理リズムを、所望の心理状態に関連する、目標となる生理リズムに向かってより正確に、より迅速に、かつ個人にとって完全に透明なやり方で、個人がその所望の心理状態に到達するのが容易になるように変化させることができる、より効果的な方法を提案することによって、文献ＵＳ５２６７９４２に記載の方法を改良することにある。
【課題を解決するための手段】
【０００８】
したがって、本発明は、個人を初期生理状態から最終生理状態に導くための方法に関するものであり、個人の生理状態は、個人の１つまたは複数の生理リズムの特徴を表す生理パラメータの集合によって定義される。生理パラメータの集合は、個人の生理リズムの値、可変性、変動の振幅、および変動の周期性のうちの少なくとも２つのパラメータを含んでいる。本発明による方法は、以下のステップを含んでいる。
・Ｅ２：個人の初期生理状態を決定するステップ。
・Ｅ３：少なくとも１つの刺激を含み、前記刺激が、その値が初期生理状態に応じて異なる少なくとも１つの刺激パラメータによって特徴付けられる、刺激の集合に最初の周期中に個人をさらすステップ。
・Ｅ４：初期生理状態と最終生理状態との間の中間生理状態を決定するステップ。
・Ｅ５：中間状態に応じて刺激の集合のうちの少なくとも１つの刺激の少なくとも１つのパラメータを修正し、個人を刺激の修正された集合にさらすステップ。
・Ｑ８：中間生理状態が、望ましい最終生理状態と異なる場合には、ステップＥ４およびＥ５を繰り返すステップ。
【０００９】
この方法は、ステップＥ５とＱ８の間に、以下のステップを追加し、
・Ｅ６：個人が到達した生理状態を決定するステップ。
・Ｑ７：個人が到達した生理状態が中間生理状態と異なる場合には、ステップＥ５およびＥ６を繰り返すステップ。
また、Ｅ６とＥ７の間に、以下のステップＱ９を追加することによって改良される。
・Ｑ９：個人が到達した生理状態が、ステップＥ２の際に、あるいはすぐ前のステップＥ６の際に決定された、個人がその前に到達した生理状態よりも中間生理状態から離れている場合には、個人が到達した生理状態により近い新たな中間生理状態を選択することによって、ステップＥ３以下を繰り返すステップ。
【００１０】
また、ステップＥ３の前に以下のステップＥ１０を実施し、
・Ｅ１０：個人の初期生理状態および最終生理状態に応じて、刺激の集合を選択するステップ。
また、場合によっては、ステップＥ６の後に、以下のステップＱ１１を実施することができる。
・Ｑ１１：刺激の集合が有効でない、またはほとんど有効でない場合には、ステップＥ１０を、次いでステップＥ３以下を実施するステップ。
【００１１】
最後に、この方法はさらに、初期化ステップを含むことができ、この初期化ステップは以下のサブステップを含んでいる。
・Ｅ０：生理状態を表中で所望の各心理状態に関連付けるサブステップであって、各生理状態が生理パラメータの集合によって特徴付けられるサブステップ。
・Ｅ１：表中から、所望の心理状態に応じて最終生理状態を選択するサブステップ。
【００１２】
本発明はまた、以下を有する、個人を初期生理状態から最終生理状態に導くための刺激を発生させるための装置に関するものである。
・個人の現在の生理状態を測定する手段。
・測定された生理状態を分析し、中間生理状態、または到達すべき最終生理状態である、基準となる生理状態と比較する手段。
・個人の決定された現在の生理状態および到達すべき最終生理状態に応じて、中間生理状態を決定する手段。
・その少なくとも１つの刺激パラメータが、決定された中間状態に応じて変動可能である、少なくとも１つの刺激を含む刺激の集合を発生させる手段。
・発生した刺激の集合に個人をさらす手段。
【００１３】
好ましくは、個人の生理状態は、個人の１つまたは複数の生理リズムの特徴を表す生理パラメータの集合によって定義され、生理パラメータの集合は、少なくとも２つの生理パラメータを有し、前記分析および比較手段は以下のものを含んでいる。
・生理パラメータを抽出するために、測定された現在の生理状態を分析する手段。
・抽出された生理パラメータを、基準となる生理状態の対応するパラメータと比較する手段。
【００１４】
生理パラメータの集合は、好ましくは、個人の生理リズムの値、可変性、変動の振幅、および変動の周期性のうちの少なくとも２つのパラメータを含んでいる。
【００１５】
測定手段は、たとえば、個人の心拍数、呼吸リズムおよび／または脳波の測定センサを含んでいる。
【００１６】
本発明による装置はまた、刺激の複数の集合をテストし、個人の生理状態に対するそれら集合の効果に応じて、テストされた刺激の集合を分類するための標準化手段と、場合によっては、個人の現在の生理状態に応じて、有効な刺激の集合を選択する手段とを備えることができる。
【００１７】
したがって、本発明の範囲において、個人の１つまたは複数の生理リズムの特徴を表す少なくとも２つのパラメータを考慮に入れて、個人の生理状態をその集合の中で考慮する。当該の２つのパラメータは、個人の生理リズムの値、可変性、変動の振幅、および変動の周期性のうちから選択することができる。生理リズムごとのパラメータの数とパラメータのタイプの選択は、特に、各リズムのパラメータの妥当性に応じて異なる。
【００１８】
本発明は単に、１人または複数の個人生理リズムに影響を与えることを目的とすることに留意されたい。個人の生理状態を決定した後に、目標となる生理状態に向けてその個人を導くために個人の受容器官に対して１つまたは複数の適切な刺激が放出される。
【００１９】
とはいっても、個人が、特定の心理状態に関連する生理状態に到達できるのは、個人において、そうした心理状態が人工的に引き起こされるからではない。したがって、本発明の目的は、個人において、所望の心理状態（恐怖、興奮、ストレス、喜び、くつろぎ、集中など）を引き起こそうとすることではなく、初期心理状態から目標となる心理状態へ個人が移行する確率が高まるように、関連する生理状態を誘導することである。
【００２０】
たとえば、いらいらしている人は効果的に記憶することができないことが知られている。この場合は、個人の生理状態を、集中という心理状態に関する生理状態に向けて導くことになる。個人がよりよく学習するために進むべき道は、その分だけ短くなる。次に、個人は、効果的な集中に向けて一歩踏み出すことを可能にする補足的なきらめきを引き出さなければならないだろう。
【００２１】
本発明の他の特徴および利点は、以下で行う本発明による方法および装置の好ましい実施形態の説明から明らかになるだろう。この説明は、添付の図面を参照して、限定的でなく例示的なものとして行う。
【発明を実施するための最良の形態】
【００２２】
定義
最終生理状態ＥＰｆに導こうとする、初期生理状態ＥＰ０にある個人について考える。たとえば、状態ＥＰ０は、ストレスという心理状態に関連し、状態ＥＰｆは集中という心理状態に関連する。ある瞬間ｔにおける個人の生理状態をＥＰｔとする。
【００２３】
個人の生理状態ＥＰｔは、生理リズムＲＰ１、ＲＰ２、ＲＰ３．．．の集合によって定義される。たとえば、ＲＰ１は、個人の心拍であり、ＲＰ２は呼吸のリズムである。
【００２４】
各生理リズムは、ある（場合によっては可変の）数のパラメータによって定義される。たとえば、リズムＲＰ１は、４つのパラメータＲＰ１Ａ、ＲＰ１Ｂ、ＲＰ１Ｃ、ＲＰ１Ｄによって定義され、リズムＲＰ２は、２つのパラメータＲＰ２Ａ、ＲＰ２Ｂによって定義され、リズムＲＰ３は、３つのパラメータＲＰ３Ａ、ＲＰ３Ｂ、ＲＰ３Ｃによって定義される。ＲＰ１Ａ、ＲＰ１Ｂ、ＲＰ１Ｃ、ＲＰ１Ｄは、一例においては、それぞれ心拍ＲＰ１の値、可変性、変動の振幅、および変動の周期性である。
【００２５】
したがって、個人の生理状態は、当該のあらゆる生理リズムのあらゆるパラメータをまとめた、生理パラメータ（ＲＰ１Ａ、ＲＰ１Ｂ、ＲＰ１Ｃ、ＲＰ１Ｄ、ＲＰ２Ａ、ＲＰ２Ｂ、ＲＰ３Ａ、ＲＰ３Ｂ、ＲＰ３Ｃ、．．．）の集合によって定義される。
【００２６】
さらに、個人の生理状態ＥＰに作用するために、１つまたは複数の刺激ＳＴ１、ＳＴ２、ＳＴ３などを含む集合を利用する。たとえば、ＳＴ１は環境音楽のような聴覚信号であり、ＳＴ２はスクリーンに映し出された映像のようなビデオ信号であり、ＳＴ３は、座席が動き出す肘掛け椅子のような触覚信号である。
【００２７】
各刺激は、ある（場合によっては可変の）数のパラメータによって定義される。たとえば、刺激ＳＴ１は３つのパラメータＳＴ１Ｍ、ＳＴ１Ｎ、ＳＴ１Ｐによって定義され、刺激ＳＴ２は、パラメータＳＴ２Ｐによって定義され、刺激ＳＴ３は２つのパラメータＳＴ２Ｎ、ＳＴ２Ｐによって定義される。たとえば、聴覚信号ＳＴ１においては、パラメータＳＴ１Ｍ、ＳＴ１Ｎ、ＳＴ１Ｐはそれぞれ、信号の音響レベル、周波数、および基音に対する倍音１のレベルである。
【００２８】
したがって、刺激（ＳＴ１、ＳＴ２、ＳＴ３、・・・）の各集合は、刺激パラメータ（ＳＴ１Ｍ、ＳＴ１Ｎ、ＳＴ１Ｐ、ＳＴ２Ｐ、ＳＴ３Ｎ、ＳＴ３Ｐ、など）の集合によって定義される。
【００２９】
最後に、個人が、このように定義された刺激の集合にさらされたとき、以下のようになるように、生理状態ＥＰの各生理パラメータ（ＲＰ１Ａ、ＲＰ１Ｂ、ＲＰ１Ｃ、ＲＰ１Ｄ、ＲＰ２Ａ、ＲＰ２Ｂ、ＲＰ３Ａ、ＲＰ３Ｂ、ＲＰ３Ｃ、・・・）の集合に、刺激の集合の刺激パラメータの集合（ＳＴ１Ｍ、ＳＴ１Ｎ、ＳＴ１Ｐ、ＳＴ２Ｐ、ＳＴ３Ｎ、ＳＴ３Ｐ、など）が関連付けられる。
・関連する生理状態に等しい場合には、その生理状態は不変なままとなる。
・関連する生理状態と異なる場合には、その生理状態に向けて推移する。
【００３０】
生理リズムの推移
実験により、人間のあらゆる生理リズム（心拍、呼吸リズム、脳波など）は、当該のリズムが何であれ、その振動数が、経時的に同じように推移する信号である。したがって、このリズムは、数学的なタイミング処理によって、もしくは、経時的な振動数信号のフーリエ変換（ＦＦＴ）処理によって得られる複数のパラメータによって特徴付けることができる。例として、図１ａから１ｄに示された４つのパラメータを考える。
・平均振動数の値（図１ａ）、
・振動数の可変性、すなわち、平均振動数の変動の規則性（図１ｂ）、
・振動数の変動の振幅（図１ｃ）、
・振動数の変動の周期性（図１ｄ）。
【００３１】
簡略化のため、これらのパラメータを、それぞれ数列Ａ、Ｂ、Ｃ、Ｄと呼ぶ。
【００３２】
当該の生理リズムによっては、上述のパラメータのうちの１つ、２つまたは３つのパラメータだけを計算に入れることもできることに留意されたい。同様に、とりわけ、上述の４つのパラメータ以外のパラメータが妥当な場合には、それらを選択することもできる。生理リズムを定義するパラメータ数の選択は、実際には、必然的にパラメータ数とともに増加する、その方法を実施する際の複雑さと、その方法の有効性との間のトレードオフである。
【００３３】
リズムの振動数およびそのパラメータに関する曲線は、当該の生理リズムが何であれ、類似した形状をもつ。パラメータの値だけが、当該の個人の当該の生理リズムおよびその心理状態に応じて、大きくまたは小さく変化する。
【００３４】
このように、実験により、たとえば、同じ心理状態にある個人のグループについて、同じ生理リズムの平均振動数の値は、個人によって大きく変化することが分かっている。たとえば、リラックスした状態の複数の個人について、彼らの心拍数の平均値Ａ（すなわち、毎分当たりの心拍数）は、個人によって大きく変化する。逆に、グループの個人の心理状態が変わらない限り、平均振動数は、同一の個人についてその時間内にほとんど変化せず、平均振動数の可変性、変動の振幅、および変動の周期性は、個人によってほとんど変化しない。したがって、これらのパラメータＢ、Ｃ、Ｄは、本発明の範囲内で考慮に入れると有利である。
【００３５】
本発明の方法の一実施形態の説明（図２）
本発明の方法および装置の実施例についての以下の説明は、次のように簡略化されたケースについてのものである。ある瞬間ｔにおける個人の生理状態ＥＰｔはその心拍ＲＰ１によってのみ定義され、この心拍は、４つのパラメータＲＰ１Ａ、ＲＰ１Ｂ、ＲＰ１Ｃ、ＲＰ１Ｄによって定義される。さらに、個人の生理状態に作用するために、それぞれ、聴覚信号の振動数、総合レベル、および基音に対する倍音のレベルである３つのパラメータＳＴ１Ｍ、ＳＴ１Ｎ、ＳＴ１Ｐを有する聴覚信号タイプのただ１つの刺激ＳＴ１を含む刺激の集合を利用する。
【００３６】
本発明による方法は、基本的に、以下のステップを含んでいる。
【００３７】
まず最初に個人の初期生理状態ＥＰ０を測定し（ステップＥ２）、ＥＰ０に対応する生理パラメータ（ＲＰ１Ａ、ＲＰ１Ｂ、ＲＰ１Ｃ、ＲＰ１Ｄ）を決定する。
【００３８】
次に、個人の知覚器官（この簡略化された例においては耳）に対して、時間Ｔ１中に状態ＥＰ０に関連する刺激の集合を発生させる（ステップＥ３）。このステップによって、個人を「つかむ（accrocher）」、すなわち、個人の生理状態ＥＰ０を、発生した刺激の集合に同期させることが可能になる。
【００３９】
この例においては、個人の心拍のパラメータ（ＲＰ１Ａ、ＲＰ１Ｂ、ＲＰ１Ｃ、ＲＰ１Ｄ）に関連するパラメータ（ＳＴ１Ｍ、ＳＴ１Ｎ、ＳＴ１Ｐ）の聴覚信号を発生させる。
【００４０】
次に、個人が到達するのが望まれる中間生理状態ＥＰｉが決定される（ステップＥ４）。中間状態とは、個人の現在の生理状態と、個人が到達するのが望まれる最終生理状態ＥＰｆの間にある状態である。中間状態の選択は、好ましくは以下の点を考慮に入れて実施する。
・選択された中間状態ＥＰｉは、最終状態に近づけようとしている以上、現在の状態よりは最終状態ＥＰｆにより近くなければならない。
・中間状態ＥＰｉは、ホイヘンスの原理が適用されるように、すなわち、個人の現実の生理状態が、中間生理状態ＥＰｉに近づくように、個人の現在の状態からあまりにかけ離れていてはいけない。
【００４１】
中間状態ＥＰｉおよび最終状態ＥＰｆは、たとえば、種々の可能な生理状態を列挙した表の中から選択される。各生理状態は、パラメータ（ＲＰ１Ａ、ＲＰ１Ｂ、ＲＰ１Ｃ、ＲＰ１Ｄ）の集合によって、より一般的には（ＲＰ１Ａ、ＲＰ１Ｂ、ＲＰ１Ｃ、ＲＰ１Ｄ、ＲＰ２Ａ、ＲＰ２Ｂ、ＲＰ３Ａ、ＲＰ３Ｂ、ＲＰ３Ｃ、．．．）によって定義され、各生理状態は、可能な心理状態に関連付けられる。
【００４２】
次に、生理状態ＥＰｉに関連するパラメータ（ＲＰ１Ａｉ、ＲＰ１Ｂｉ、ＲＰ１Ｃｉ、ＲＰ１Ｄｉ）に対応するパラメータ（ＳＴ１Ｍ、ＳＴ１Ｎ、ＳＴ１Ｐ）を有する刺激（ここでは聴覚信号）を発生させる。刺激は、時間Ｔ２（ステップＥ５）中に発生する。時間Ｔ２は、個人の心拍のパラメータが、刺激を知覚した個人の心拍パラメータが、値（ＲＰ１Ａｉ、ＲＰ１Ｂｉ、ＲＰ１Ｃｉ、ＲＰ１Ｄｉ）に到達するのに十分な長さに選択される。
【００４３】
次に、中間状態ＥＰｉが最終状態ＥＰｆと異なる場合には、ステップＥ４およびＥ５を繰り返す（ステップＥ８）。それぞれの生理パラメータが等しい場合には、２つの生理状態は等しい。したがって、連続的中間状態ＥＰ１、ＥＰ２、・・・、ＥＰｉ、ＥＰｉ＋１、ＥＰｉ＋２、・・・を経て状態ＥＰｆまで少しずつ移行することによって個人を最終状態ＥＰｆに導くために、ステップＥ４およびＥ５が1回または数回繰り返される。連続的状態および連続的状態の数は、個人の測定された初期状態ＥＰ０と、到達することが望まれる最終状態ＥＰｆの差に応じて選択される。
【００４４】
上述の方法にもたらすことができる改良
時間パラメータＴ１、Ｔ２の選択
時間Ｔ１および／またはＴ２は、本方法が実施される個人に応じて修正することができる。それは、たとえば、方法の初期化ステップＥ０の最中に行うことができる。
【００４５】
個人の生理状態の連続的測定およびパラメータＴ２のリアルタイムの変動
刺激に対する反応時間は、個人によって、あるいは、同じ個人でも異なる瞬間に大きく変化することがある。したがって、時間Ｔ２は、刺激にさらされる個人が十分に反応できる時間を与えられるように十分長く選択されなければならない。ただしこうした条件下では、たとえば、刺激に比較的素早く反応する個人の場合には、方法の実施時間が無駄に長くなる恐れもある。
【００４６】
この欠点を解消するためには、個人の現在の生理状態ＥＰｔを連続的に（あるいは、Ｔ２よりはるかに短い時間Ｔ３の間隔で）測定することが可能である（ステップＥ６）。その結果、測定された生理状態ＥＰｔのパラメータ（ＲＰ１Ａｔ、ＲＰ１Ｂｔ、ＲＰ１Ｃｔ、ＲＰ１Ｄｔ）が、中間状態ＥＰｉのパラメータ（ＲＰ１Ａｉ、ＲＰ１Ｂｉ、ＲＰ１Ｃｉ、ＲＰ１Ｄｉ）に等しい場合には、ステップＥ５は停止される。そうでない場合は、ステップＥ５、Ｅ６が繰り返される。
【００４７】
個人の生理状態の連続測定および必要な場合の再同期化
個人が刺激の集合にさらされたとき、個人の現実の生理状態ＥＰｔが、所望の生理状態（場合によって中間状態ＥＰｉまたは最終状態ＥＰｆ）に近づかずに遠ざかってしまうという意味で、個人が、発生した刺激の集合にあまり反応しないことも起こり得る。これは、たとえば、所望の生理状態が、個人の初期状態からあまりにかけ離れて選択された場合に起こることがある。その場合、個人が所望の状態に到達することはできない。
【００４８】
この欠点を解消するために、個人の生理状態ＥＰｔを連続的に（あるいは短時間Ｔ３の間隔で）測定することが可能であり（ステップＥ６）、測定された状態ＥＰｔが所望の状態に近い場合には（ステップＱ９）、この方法を続行し、そうでない場合は、個人の現実の状態により近い、より適切な新たな中間状態ＥＰｉを選択することによって、ステップＥ３以下を繰り返す。
【００４９】
複数の刺激のうちからの刺激の集合からの選択
個人の生理リズムを変化させるために、本方法の範囲内で、複数のタイプの刺激を利用することができる。たとえば、聴覚タイプ（音楽、言葉、特定の音など）、視覚タイプ（スクリーン、パネルに表示された映像、文字など）、触覚タイプ（個人がつかんでいる物体の変形など）の刺激を利用することができる。
【００５０】
また、同じ刺激に対して、種々のパラメータを変化させることができる（たとえば、映像中で物体の輪郭および色を同時に変化させることができる）。さらに、種々の刺激を組み合わせて利用することもできる。
【００５１】
実際に、ある個人が、任意の刺激の集合に対して他の個人より敏感になることがある。また、ある個人が他の個人よりも、さらされている刺激の集合のうちの同じ刺激の同じパラメータの同じ変動に対してより敏感になることもある。また、同じ個人が、異なる瞬間に、同じ刺激に対して異なる感受性を示すこともある。
【００５２】
したがって、最も適切な刺激の集合の選択を可能にすることにより、本方法を改良することができる。この選択は、場合に応じて、とりわけ、以下のものに応じて行うことができる。
・刺激にさらされる個人の最初の状態ＥＰ０。
・到達すべき最終状態ＥＰｆ。
・個人の初期状態ＥＰ０と到達すべき最終状態ＥＰｆの差。
・個人が最終状態ＥＰｆに到達するために望まれる最大時間。
・選択された中間状態。
【００５３】
これらの場合に、方法の開始時、たとえば、ステップＥ５の前に実施されるステップＥ１０の最中に、１つまたは複数の刺激を選択することができる。
【００５４】
１つまたは複数の刺激の選択はまた、たとえば、選択された１つまたは複数の刺激によって促される個人の反応に応じて、本方法の実施中に１回または数回変更することもできる。そのために、ステップ１１を想定することができ、その最中に、使用された刺激の有効性を決定し、その後、その刺激が有効である場合には方法を続行し、そうでない場合には、より有効な刺激のタイプを選択し（ステップＥ１０）、本方法のステップＥ５以下を繰り返す。
【００５５】
個人が、刺激の第１の集合に関連する生理状態ＥＰｉに到達する目的で、刺激の第一の集合にさらされたとき、個人の生理状態が、刺激の第２の集合にさらされた場合よりも迅速に状態ＥＰｉに近づく場合に、刺激の第１の集合は刺激の第２の集合よりも有効であるとみなされる。
【００５６】
また方法の標準化ステップ（ステップＥ１３）を、たとえば以下のときに実施することもできる。
・方法の開始時。
・任意の個人による方法の最初の使用中。
・あるいは場合によっては、方法の使用中ずっと継続的に。
【００５７】
標準化の目的は、任意の個人について、任意の瞬間に、種々のタイプの刺激の有効性を決定し、場合によっては、各刺激について、各刺激パラメータの変動の有効性を決定することにある。
【００５８】
本発明による装置の実施形態の説明
本発明による装置は、基本的に以下のものを備える（図３）。
・個人２０の生理状態ＥＰｔの時間内での推移を測定することができる測定装置１０。
・１つまたは複数の生理パラメータ（ＲＰ１Ａｔ、ＲＰ１Ｂｔ、ＲＰ１Ｃｔ、ＲＰ１Ｄｔ、ＲＰ２Ａｔ、ＲＰ２Ｂｔ、ＲＰ３Ａｔ、ＲＰ３Ｂｔ、ＲＰ３Ｃｔ、・・・）を抽出するために測定された生理状態ＥＰｔを分析する手段３０。
・抽出された１つまたは複数の生理パラメータ（ＲＰ１Ａｔ、ＲＰ１Ｂｔ、ＲＰ１Ｃｔ、ＲＰ１Ｄｔ、ＲＰ２Ａｔ、ＲＰ２Ｂｔ、ＲＰ３Ａｔ、ＲＰ３Ｂｔ、ＲＰ３Ｃｔ、・・・）を、所望の生理状態（場合に応じてＥＰｉまたはＥＰｆ）の対応する１つまたは複数のパラメータ（ＲＰ１Ａ、ＲＰ１Ｂ、ＲＰ１Ｃ、ＲＰ１Ｄ、ＲＰ２Ａ、ＲＰ２Ｂ、ＲＰ３Ａ、ＲＰ３Ｂ、ＲＰ３Ｃ、・・・）と比較する手段４０。
・測定された個人の生理状態ＥＰｔと期待されている最終生理リズムＥＰｆとの間の中間生理状態ＥＰｉの生理パラメータ（ＲＰ１Ａｉ、ＲＰ１Ｂｉ、ＲＰ１Ｃｉ、ＲＰ１Ｄｉ、ＲＰ２Ａｉ、ＲＰ２Ｂｉ、ＲＰ３Ａｉ、ＲＰ３Ｂｉ、ＲＰ３Ｃｉ、・・・）を決定する手段５０。
・中間生理リズムＥＰｉに関連する刺激の集合を発生させる手段６０。
・個人に働きかけるために、個人の知覚器官に対して１つまたは複数の刺激を放出する手段７０。
【００５９】
測定装置１０は、個人の生理リズムの少なくとも１つの測定センサを備える。たとえば、場合によっては、好ましくは邪魔にならず、かつできるだけ個人に気にならないように構成された、公知の測定センサを利用する。一例を挙げると、センサ１０は個人の心拍数を測定するが、たとえば、これは医療の現場でよく知られている方法で利用することもできるような動脈圧センサである。装置１０は、基本的にステップＥ２およびＥ６を実施するために使用される。
【００６０】
手段３０は、平均値計算および／またはフーリエ変換（ＦＦＴ）によって個人の生理状態を定義する各生理学的リズムのパラメータを抽出するためのタイミング信号の数学的処理手段である。手段４０は、測定された生理パラメータの値と所望の生理パラメータの値の差を決定する。手段５０は、測定された個人の生理リズム（ＥＰ０とＥＰｔ）と所望の最終生理リズム（ＥＰｆ）の間の中間生理状態に関連する生理パラメータを決定する。手段３０、４０、５０は、たとえばソフトウェア手段によって実施され、それらは、基本的に、ステップＥ４を実施するのに利用される。
【００６１】
手段６０は、選択された中間生理状態から、刺激パラメータの集合（ＳＴ１Ｍ、ＳＴ１Ｎ、ＳＴ１Ｐ、ＳＴ２Ｐ、ＳＴ３Ｎ、ＳＴ３Ｐ、・・・）によって定義され、１つまたは複数の刺激を含む、刺激の集合を発生させる。手段６０は、特に表を含み、その表の中で、生理パラメータによって定義される各生理状態に、関連する生理状態に到達することを可能にする刺激の集合が関連付けられ、各刺激の集合は、刺激パラメータの集合によって特徴付けられる。手段６０の実施は、当然のことながら、音声、文字、ビデオなど、発生すべき刺激のタイプによって左右される。手段７０は、個人に対して、先に発生された刺激を放出する。放出すべき刺激のタイプに応じて、手段７０は、たとえば、表示用スクリーン、スピーカなどである。手段６０、７０は、基本的にステップＥ３、Ｅ５を実施するために使用される。
【００６２】
本発明による装置は、上述の方法と同じように改良することができる。
【００６３】
特に、適切な刺激のタイプを選択する手段９０を設けることができる。この手段は、たとえばソフトウェア・タイプのものであり、利用できる刺激のタイプ数に応じて、また考慮に入れるべき選択基準に応じて、多かれ少なかれ精巧に作り上げることができる。特に以下のことを考慮に入れることができる。
・ある刺激の他の刺激と比べての有効性。
・個人の初期生理状態ＥＰ０。
・到達すべき最終生理状態ＥＰｆ。
・初期状態と最終状態の差。
・初期状態から最終状態への移行のために利用できる時間。
・その他。
【００６４】
また、ある瞬間に、ある個人について、種々の刺激の有効性および同じ刺激の各パラメータの有効性をテストすることができる、装置の標準化手段８０を設けることもできる。手段８０は、ステップＥ１３を実施するために利用され、次いで、その標準化の結果が、刺激を選択するために、手段９０によって利用される。
【００６５】
また、それぞれが１つまたは複数の心理状態に対応し、それぞれが生理パラメータの集合によって特徴付けられる、生理状態の集合を表に記憶する手段１００を設けることもできる。
【００６６】
本発明による装置の手段の全体が、図３には示されていない制御手段によって操作される。
【産業上の利用可能性】
【００６７】
一般的に、本発明によって、最初はある生理状態ＥＰ０にあった個人を、その個人が行おうとしている活動により適した、所望の生理状態ＥＰｆに導くことが可能になる。
【００６８】
本発明の考えられる適用例は、以下のタイプの学習装置の製作である。
・たとえば航空機や自動車などのエンジン付き装置用の運転シミュレータ。
・外国語や理論教育および／または実践教育などの自己学習装置。
【００６９】
その場合、本発明は、生徒を特定の学習条件、とりわけ集中やストレスなどに関する状態に導くために、また、特定の条件における生徒の反応をテストするために、あるいはまた、新たな学習のためにより有効な受容性状態に生徒を導くために利用される。
【００７０】
本発明の考えられる他の適用例は、ゲーム、映画、またはマルチメディア・アプリケーション（映画、娯楽用ソフトウェアなど）の製作である。その場合、本発明は、１人または複数のゲーム・プレーヤー、あるいは１人または複数の観客を、ぴったりの瞬間に（たとえば、とりわけ見せ場の瞬間に）、特定の受容性状態（たとえば不安な印象）に導くために使用される。
【００７１】
医療の分野においては、他の適用例も考えられる。
・手術や診察などのために、患者を、場合に応じて、リラックス、くつろぎ、催眠状態に導く。
・心理学的診察の有効性を改善するために、患者と精神療法医を同期させる（神経言語学のプログラミングにおけると同様に）。
【００７２】
スポーツの分野でも、以下の目的のために、他の適用例が考えられる。
・身体訓練の際に、個人を、迅速に心臓、呼吸などの均衡状態に導く。
・個人の個別のくつろぎやリラックスを促す。
【００７３】
最後に、職業的分野においても、たとえば、複数の人間のチームでの作業を促すために、瞬時にかつ同時にそれらの人間を、（変化していく可能性がある、あるいは明確には定義できない）同じ生理状態、あるいは近い生理状態に導くなど他の適用例が考えられる。
【図面の簡単な説明】
【００７４】
【図１】一般に個人の生理リズムに関連する４つのパラメータを示す図である。
【図２】本発明による方法のフローチャートである。
【図３】本発明による方法を実施するのに適した装置のブロック図である。
【図１】
2008538187.tif 000003
【図２】
2008538187.tif 000004
【図３】
2008538187.tif 000005
【国際調査報告】
2008538187.tif 000006
2008538187.tif 000007
2008538187.tif 000008
2008538187.tif 000009
2008538187.tif 000010
2008538187.tif 000011